(57)【要約】【課題】従来の照明付手鏡で、携帯化粧用具の蓋裏の鏡面周囲に照明具を設けて開いた時顔面照明するものは単に全顔面を照明し、また鏡部後側の隠れた位置に複数のＬＥＤを配置しその光をパラボラ状反射板で反射させ顔面照射するものは、拡散間接光で顔面を均等照明し、特定位置への照射の調整や照度の調整を行うことはできなかった。これらの課題を解決する照明付手鏡を提供する。【解決手段】手鏡本体と同一平面からその内側に折り曲げ可能でかつ、被写体の特定部を、折り曲げ角度をロックでき、さらに光量を調節しつつ照射できる複数個の白色ＬＥＤが装着されたホルダを配設し、また左右のホルダを内側に折り曲げた時先端部が鏡面の中央部で閉じられ、鏡面の蓋となり又は前面に格納できる機構を備えてなる。【選択図】図２
2006175065.tif 000002
【特許請求の範囲】
【請求項１】
鏡面を有する手鏡本体４と
手鏡鏡面１０の左右に配設され、鏡面１０と同一平面から内側に１８０度折り曲げられ、かつその折り曲げ角度と光量を調節しつつ顔面を照射できる複数個の白色ＬＥＤ７が装着されたＬＥＤホルダ６とから構成されてなることを特徴とする照明付手鏡。
【請求項２】
鏡面を有する手鏡本体４と
手鏡鏡面１０の左右に配設され、鏡面１０と同一平面から内側に１８０度折り曲げられ、かつその折り曲げ角度と光量を調節しつつ顔面を照射できる複数個の白色ＬＥＤ７が装着されたＬＥＤホルダ６とから構成された照明付手鏡であって、
前記ＬＥＤホルダ６を鏡面と同一平面から内側に１８０度折り曲げた時、その先端部が鏡面の中央で閉じられて鏡面の蓋、あるいは鏡面上に格納可能な機構を備えてなり、さらに前記鏡面の下端部に後方に折り曲げて鏡面背部に格納可能な把持部を有してなることを特徴とする照明付手鏡。
【請求項３】
左右のＬＥＤホルダ６が、半楕円形、半円形、長方形あるいは台形等手鏡本体４に合わせた形状をなし、半楕円形、半円形では湾曲部の中央を、長方形、台形では片側の外縁の中央部を、手鏡鏡面１０の外縁を包んで保持している枠の左端部及び右端部の上面に回動可能に配設され、その先端部が鏡面の中央で閉じられた時鏡面の蓋となり、
かつ、各ＬＥＤホルダ６表面には反射板を有する複数の高輝度白色ＬＥＤ７が所定の固定位置に傾斜して取り付けられ、さらに前記白色ＬＥＤ７の前面には、光の拡散板が設けられてなり、
そして前記ＬＥＤホルダ６を回動する際、所要角度でロックする機構を備えてなることを特徴とする請求項１又は２に記載の照明付手鏡。
【請求項４】
左右のＬＥＤホルダ６が、楕円形又は長方形をなし、楕円形では湾曲部の中央に、長方形では外縁の中央部に設けられたアームを介して手鏡鏡面１０の外縁を包んで保持している枠の左端部及び右端部の上面に回動可能に配設され、その先端部が鏡面の中央で閉じられた時鏡面上に格納され、
かつ、各ＬＥＤホルダ６表面には反射板を有する複数の高輝度白色ＬＥＤ７が所定の固定位置に傾斜して取り付けられ、さらに前記白色ＬＥＤ７の前面には、光の拡散板が設けられてなり、
そして前記ＬＥＤホルダ６を回動する際、所要角度でロックする機構を備えてなることを特徴とする請求項１又は２に記載の照明付手鏡。
【請求項５】
手鏡本体４が、その背面に、高輝度白色ＬＥＤ７を駆動し、その照度を切り替えて制御操作するＬＥＤ駆動・制御操作部２３、及び電源を収納する収納部３８を備え、かつ前記収納部３８表面に操作部の操作切り替えスイッチ３７及び電源の開閉スイッチ３６を配設してなることを特徴とする請求項１〜４のいずれか１項に記載の照明付手鏡。
【請求項６】
白色ＬＥＤ７の照度と照射時間の制御が、前記白色ＬＥＤ７を駆動するパルスの周波数を切り替えることによって行われることを特徴とする請求項１〜５のいずれか１項に記載の照明付手鏡。
【発明の詳細な説明】
【技術分野】
【０００１】
本発明は、照明付の手鏡に係り、特に照射位置及び照度の調整が可能な照明付手鏡に関する。
【背景技術】
【０００２】
従来照明付の手鏡については、携帯用の化粧用具の蓋裏部分にはめ込められた鏡面の周囲に照明装置を設け、開いた時に顔面を照明するものや、
手鏡鏡部の後側でかつ鏡部の裏に隠れる位置に複数のＬＥＤを配置し、ＬＥＤからの光を鏡部の後側に配設したパラボラ状反射板で反射させて間接光により顔面を照射するもの、等が開示されている。
【特許文献１】特許公開平９−２６２１３４号公報
【特許文献２】特許公開２００１−１５７６３７号公報
【発明の開示】
【発明が解決しようとする課題】
【０００３】
しかしながら、携帯用の化粧用具の蓋裏部分にはめ込められた鏡面の周囲に照明装置を設け、開いた時に顔面を照明するものは、単に全顔面を照明するだけのものであり、
また、手鏡鏡部の後側でかつ鏡部の裏に隠れる位置に複数のＬＥＤを配置し、それらの光を鏡部の後側に配設したパラボラ状反射板で反射させて顔面を照射するものは、光を拡散させて間接光により顔面を均等に照明しょうとするものであって、特定位置への照射や、照度の調整を行うことはできなかった。
本発明ではこれらの課題を解決する照明付手鏡を提供する。
【課題を解決するための手段】
【０００４】
上記に鑑み本発明者は鋭意実験研究の結果下記の手段により課題を解決した。
（１）鏡面を有する手鏡本体４と手鏡鏡面１０の左右に配設され、鏡面１０と同一平面から内側に１８０度折り曲げられ、かつその折り曲げ角度と光量を調節しつつ顔面を照射できる複数個の白色ＬＥＤ７が装着されたＬＥＤホルダ６とから構成されてなることを特徴とする照明付手鏡。
（２）鏡面を有する手鏡本体４と手鏡鏡面１０の左右に配設され、鏡面１０と同一平面から内側に１８０度折り曲げられ、かつその折り曲げ角度と光量を調節しつつ顔面を照射できる複数個の白色ＬＥＤ７が装着されたＬＥＤホルダ６とから構成された照明付手鏡であって、
前記ＬＥＤホルダ６を鏡面と同一平面から内側に１８０度折り曲げた時、その先端部が鏡面の中央で閉じられて鏡面の蓋、あるいは鏡面上に格納可能な機構を備えてなり、さらに前記鏡面の下端部に後方に折り曲げて鏡面背部に格納可能な把持部を有してなることを特徴とする照明付手鏡。
（３）左右のＬＥＤホルダ６が、半楕円形、半円形、長方形あるいは台形等手鏡本体４に合わせた形状をなし、半楕円形、半円形では湾曲部の中央を、長方形、台形では片側の外縁の中央部を、手鏡鏡面１０の外縁を包んで保持している枠の左端部及び右端部の上面に回動可能に配設され、その先端部が鏡面の中央で閉じられた時鏡面の蓋となり、
かつ、各ＬＥＤホルダ６表面には反射板を有する複数の高輝度白色ＬＥＤ７が所定の固定位置に傾斜して取り付けられ、さらに前記白色ＬＥＤ７の前面には、光の拡散板が設けられてなり、
そして前記ＬＥＤホルダ６を回動する際、所要角度でロックする機構を備えてなることを特徴とする前項（１）又は（２）に記載の照明付手鏡。
【０００５】
（４）左右のＬＥＤホルダ６が、楕円形又は長方形をなし、楕円形では湾曲部の中央に、長方形では外縁の中央部に設けられたアームを介して手鏡鏡面１０の外縁を包んで保持している枠の左端部及び右端部の上面に回動可能に配設され、その先端部が鏡面の中央で閉じられた時鏡面上に格納され、
かつ、各ＬＥＤホルダ６表面には反射板を有する複数の高輝度白色ＬＥＤ７が所定の固定位置に傾斜して取り付けられ、さらに前記白色ＬＥＤ７の前面には、光の拡散板が設けられてなり、
そして前記ＬＥＤホルダ６を回動する際、所要角度でロックする機構を備えてなることを特徴とする前項（１）又は（２）に記載の照明付手鏡。
（５）手鏡本体４が、その背面に、高輝度白色ＬＥＤ７を駆動し、その照度を切り替えて制御操作するＬＥＤ駆動・制御操作部２３、及び電源を収納する収納部３８を備え、かつ前記収納部３８表面に操作部の操作切り替えスイッチ３７及び電源の開閉スイッチ３６を配設してなることを特徴とする前項（１）〜（４）のいずれか１項に記載の照明付手鏡。
（６）白色ＬＥＤ７の照度と照射時間の制御が、前記白色ＬＥＤ７を駆動するパルスの周波数を切り替えることによって行われることを特徴とする前項（１）〜（５）のいずれか１項に記載の照明付手鏡。
【発明の効果】
【０００６】
１、本発明の請求項１、２の発明によれば、
鏡面を有する手鏡本体と、前記鏡面の左右に配設され、鏡面と同一平面から内側に１８０度折り曲げられ、かつ、その曲げ角度と光量を調節しつつ被写体の顔面に照射できる複数個の白色ＬＥＤが装着されたＬＥＤホルダを１８０度折り曲げた時、その先端部が鏡面の中央で閉じられて鏡面の蓋あるいは、鏡面上に格納可能となる機構を備えており、
鏡面を中心とし、その鏡面の左右の位置に，ＬＥＤホルダ面が鏡面と水平になるように開いた状態で顔面を写し、顔面の目尻、頬、唇付近に光源からの光の中心が照射するように光源の取り付け位置を設定し、室内でも屋外にいる状態に近い条件で顔面を写し出すことができる。
また、特に顔面の目尻付近の照射は鏡面の中心から遠く設定されており、眩しさが軽減されるため使い易い。
また、ＬＥＤホルダを内側に折り曲げた時、その裏面が手鏡本体の鏡面を左右から隠蔽する蓋となり鏡面を保護することができる。あるいは鏡体の前面にホルダを格納することができ、共に携帯に便利である。
さらに、前記鏡面の下端部に後方に折り曲げ可能な把持部を有するものは、スタンドとしても使用でき、また把持部は後方に折り畳むと携帯に便利である。
【０００７】
２、請求項３の発明によれば、
左右のＬＥＤホルダが、半楕円形、半円形、長方形あるいは台形等手鏡本体に合わせた形状をなし、半楕円形、半円形では湾曲部の中央を、長方形、台形では片側の外縁の中央部を、手鏡鏡面の外縁を包んで保持している枠の左端部及び右端部の上面に回動可能に配設され、その先端部が鏡面の中央で閉じられた時鏡面を保護する蓋となる。
また、ＬＥＤホルダの表面には反射板を有する複数の高輝度白色ＬＥＤが、所定の固定位置に傾斜して取り付けられ、その前面には光の拡散板が設けられ、
また、左右のＬＥＤホルダは、当初セット時は鏡面と水平位置にあって、内側に所要角度回動させるとき、所要セット位置にてロックする機構を有するため、角度を変化させることにより、顔面の所要位置をより鮮明に映し出すことができる。
３、請求項４の発明によれば、
左右のＬＥＤホルダが、楕円形又は長方形をなし、前記手鏡本体鏡面の外縁を包み保持している枠の左端部及び右端部に、楕円形の湾曲部又は長方形の外縁端の中央部がアームを介して回動自在に配設され、その先端部が鏡面の中央で閉じられた時、鏡面上に格納することができる。
本件はＬＥＤホルダのスペースファクタがよく、かつデザイン的に斬新である。
【０００８】
４、請求項５、６の発明によれば、
手鏡本体はその背面に収納部を有し、内部に前記高輝度白色ＬＥＤの駆動部及び照射照度の切り替えを行う操作部並びに、同操作部に供給される電源が配設され、また、前記収納部の表面に操作部の切り替えスイッチ及び電源の開閉スイッチを有し、さらに、照射時間の切り替えを行う操作モードが、被写体への照射照度をパルス駆動時間により切り替える連続照射モードと、間歇的照射時間の設定モードとに切り替えることができるため、
顔面への照射光量の可変を、ＬＥＤに印加するパルスの周期を可変することにより天候によって異なる屋外の明るさにあった化粧の色を確認することができる。  さらに、間歇的照射時間の設定モードにより照射と非照射時の照射効果を確認することができる。
【発明を実施するための最良の形態】
【０００９】
発明を実施するための最良の形態を図面に基づいて以下に説明する。
図１−Ａは本発明の照明付手鏡を閉じた時の外観図で、
（イ）図は平面図（ロ）は正面図を示す。
図において、１は照明付手鏡、２は鏡面蓋、３は回動部、４は鏡面本体、５は把手、５’は折り曲げ部を示す。
図示したように本照明付手鏡を正面から見ると、
ＬＥＤホルダの裏面が鏡面本体４の鏡面蓋２となって、一体化している。
また、把手５は鏡面本体４の方向の後ろに折り曲げることができるため、
スタンドとして使用することや、さらに１８０度折り曲げて鏡面本体４の裏に収納し（図１−Ｂ）携帯の際小型とすることができる。
【００１０】
図１−Ｂは、照明付手鏡の背面図である。
図において、５’は把手折り曲げ部、２４は鏡部本体裏蓋、３６は電源スイッチ、３７は操作切り替えスイッチを示す。
本図は、図１−Ａ（ロ）図の把手５を後方に折り曲げて、背面に折り畳んだ状態を示す。
図２は本発明の照明付手鏡を開いた時の正面外観図及び照射位置の説明図である。
図において、６はＬＥＤホルダ、７はＬＥＤ、８は照射窓及び拡散板、９は鏡面外縁枠、１０は鏡面、１１は顔面像、１２、１５は顔面像の目尻付近、１３、１６は顔面像の頬付近、１４、１７は顔面像の唇付近、２１は顔面照射方向を示す。
本図は図１の状態から鏡面蓋２を回動部３を回動して、観音扉状に左右に水平位置まで開いた図である。
【００１１】
鏡面蓋２背面の左右のＬＥＤホルダ６には、図示したように手鏡の使用者が把手５を握って顔面を鏡面１０に写した時に、目尻付近１２、１５、頬付近１３、１６、頬付近及び唇付近１４、１７がスポット照射できる位置と角度に，各ＬＥＤ７が配設されている。
この時の顔面像１１と鏡面１０との距離は１５〜２０ｃｍである。
そして、前記の照射位置は、上記の遠近の設定距離並びに照射角度によりずれてくるので、
例えば距離を接近させて顔面を拡大して化粧する場合、３大チェックポイントといわれる前記目尻、頬及び唇付近の位置を照射したいときには、前記手鏡本体４の傾斜角度を調整することにより容易に目的を達することができる。
また、ＬＥＤ７の発行は昼光色に近い高輝度の白色光であり、スポットの照度は２０ｃｍの距離で７００〜８００Ｌｕｘである。
【００１２】
次ぎにＬＥＤホルダ６の構成と作用について述べる。
図３は、照明付手鏡の平面図で、外筐を透視した内部説明図である。
図において、１８はＬＥＤ取り付け基板、１９は反射鏡、２０はＬＥＤ収納部、２２ボタン電池、２３はＬＥＤ駆動・制御操作部、２４は鏡部本体裏蓋、２５はＬＥＤホルダ開閉方向、３８は操作部収納部を示す。
鏡面１０を有する手鏡本体４と、その鏡面１０の前部の左右には、図示したように鏡面と同一平面から内側にＬＥＤホルダ開閉方向２５のように１８０度回動させて折り曲げて閉じることができるＬＥＤホルダ６が配設されている。また、開く時は逆となる。
【００１３】
前記左右のＬＥＤホルダ６は、本事例では正面から見て半楕円形をなしている（図２）。そして前記手鏡本体４の鏡面１０の外縁を包みこんで保持している鏡面外縁枠９の左端部及び右端部の上面に、前記半楕円形の湾曲部の中央部が回動自在に配設されている。（図２、図３）
また、ＬＥＤホルダ６の内部には図示したように、ＬＥＤ収納部２０が設けられ、その内部には、ＬＥＤ取り付け基板１８が傾斜して取り付けられており、
該基板１８の上には、杯状の反射板１９をその基部に有する計６個の高輝度白色ＬＥＤ７が、所定の位置に前記傾斜を有する取り付け基板１８に対し直角に立設されている（図２、図３）。
さらに、前記各白色ＬＥＤ７の前面には照射窓及び拡散板８が、前記ＬＥＤの照射位置に対し所要傾斜をなして設けられている（図２）。
【００１４】
また、前記左右のＬＥＤホルダ６は、当初セット時（開いた時）は鏡面１０と同一平面にあって、同位置から内側に回動させて折り曲げる時、所要の角度でロックする機構を備えている。
この機構の事例を次図に説明する。
図４は、ＬＥＤホルダの折り曲げ機構を示す部分拡大平面図である。
図において、２６はロータ部の抜け止め、２７は回動ロック機構を示す。
本図は、手鏡４の前面に配設されたＬＥＤホルダ６の右端の回動部３は、回動して前記ＬＥＤホルダ開閉方向２５のように折れ曲がり、その途中の所要の角度で回動しロック機構２７によりロックする。
その１事例の詳細を次図に示す。
【００１５】
図５は、図４のロック機構の縦断面及びステータ軸の部分図で、
（イ）は図４のＡ−Ａ’断面図、（ロ）はステータ軸の部分正面図、（ハ）はステータ軸（ロ）のＢ−Ｂ’断面図である。
図において、２８はステータ軸、２９はバネ押しねじ、３０押しバネ、３１はロック用穴、３２はボールベアリング、３３はステータ軸固定ねじ棒、３４はステータ軸支承棒、３５はねじ穴を示す。
図示したようにステータ軸２８は、手鏡本体４の右端部よりステータ軸支承棒３４を立設させロータであるＬＥＤホルダ６の右端部の中央を貫通するように途中から左方向に、ステータ軸固定ねじ棒３３によってコの字状に横設されている。
そしてこのステータ軸２８に、ＬＥＤホルダ６の右端部がロータとして貫装され、また前記ステータの左端にはロータ部の抜け止め２６が着設されている。
【００１６】
回動ロック機構２７は、前記ロータ（ＬＥＤホルダ６の右端部）には、図示したように前記ステータ軸２８に対し垂直方向にロック機構穴３１が１〜複数個穿孔されている（本図は２ケの場合である）。
このロック機構穴３１にボールベアリング３２を入れ、その上に押しバネ３０を入れてからバネ押しねじ２９を螺着する。
また、前記ボールベアリング３２が前記ステータ軸２８に当接する円周上にはボールベアリング３２が嵌合する複数のロック用穴３１が配設されている。
この状態を図５（ロ）のステータ軸の部分正面図（ハ）のステータ軸（ロ）のＢ−Ｂ’断面図に示す。
前記のボールベアリング３２は、押しバネ３０により常時ステータ軸２８を押圧しており、前記ロータ（ＬＥＤホルダ６）の右端を所定位置迄回動させると、
ステータ軸２８に設けられている複数のロック用穴３１のいずれかに嵌合してロックされる。
次ぎに、力を入れて回動させると、前記ボールベアリング３２は押しバネ３０を圧縮するので嵌合が外れて隣りに移動し、止めた位置で前記同様ロックされる。
【００１７】
図６は手鏡本体の背面収納部の説明図で、（イ）は（ロ）のＡ−Ａ’断面図、（ロ）は手鏡本体背面の一部透視の正面図である。
鏡面本体４の背面の操作部収納部３８には、ボタン電池２２（１．５Ｖ×４ヶ）及びＬＥＤ駆動・制御操作部２３が配設されている。また下方には操作部に供給される電源の開閉スイッチ３６及び照度の切り替えを行う操作切り替えスイッチ３７が配設されており、外部から容易に操作することができる。
また、ボタン電池２２の交換や操作部の点検は裏蓋２４（図３）を外して行うことができる。
【００１８】
図７−Ａは本発明のＬＥＤホルダの形状が異なる照明付手鏡の外観図で、（イ）は平面図、（ロ）は正面図を示す。
図において、２’はホルダ裏面、６’はホルダのアームを示す。
本図のＬＥＤホルダ６の形状は正面から見て楕円形である。
そしてホルダのアーム６’を介して内側に折り曲げると、ホルダ裏面２’が表面となりハの字状に鏡面の前面に格納される。
なお、ＬＥＤホルダ６の形状は長方形であってもよい。
本件はＬＥＤホルダのスペースファクタがよくデザイン的にも斬新である。
図７−Ｂは、図７−Ａの把手を後方に折り曲げて、背面に折り畳んだ状態を示す。
【００１９】
図８は図７−Ａの照明付手鏡を開いた時の正面外観図及び照射位置の説明図である。
本図は図７−Ａの状態からＬＥＤホルダ６を、回動部３をホルダのアーム６’を介して回動して、左右に鏡面と同一平面に開いた図である。
この時のＬＥＤの収納部、被写体顔面への照射位置、照度の調整及び所要角度セット時のロック機構等は前述した図２に準じている。
また、鏡面本体４の背面の操作部収納部等の配置も図６に準じている。
【００２０】
図９は本照明付手鏡の照射に関する制御操作部回路のブロック図である。
本回路は、被写体顔面１１への照射光量の調整を、複数の高輝度白色ＬＥＤ７に印加するパルスの周期を変えることによって行い、屋外の明るさに合った化粧の色を確認することができる。
図において電源スイッチ３６（ＳＷ１）をＯＮにすると、ボタン電池２２（１．５Ｖ×４ヶ）による電源が入り、発振器（ＩＣ：ＮＥ５５５）が下記の条件により発振する。
なお、発振周波数ｆ0：１．４４／Ｃ１（Ｒ１＋２×Ｒ２）式で表され、
（１）Ｃ１が０．０１μＦ時の  ｆ0＝７１６Ｈｚ  ・・・（晴れ）
（２）Ｃ１が０．１μＦ時の    ｆ0＝７１．６Ｈｚ・・・（曇り）
（３）Ｃ１が４７μＦ時の      ｆ0＝０．１５Ｈｚ・・・（確認）
上記の各周波数は前記ＩＣ出力端子Ｎｏ．３から出力され、
（１）〜（３）の切り替えは、前記操作切り替えスイッチ３７（ＳＷ２）によって行うことができる。
【００２１】
そして複数個の高輝度白色ＬＥＤ７（Ｄ３〜Ｄ５：右側ＬＥＤホルダ）及び（Ｄ６〜Ｄ８：左側ＬＥＤホルダ）は前記（１）及び（２）の周波数のパルスでＯＮ／ＯＦＦされるため輝度が変化する、周波数が高いと輝度は上がる。
上記、（１）の７１６Ｈｚは晴れの日に該当（照度５００〜７００Ｌｕｘ）し、（２）の７１．６Ｈｚは曇りの日に該当（照度３００〜４００Ｌｕｘ）する。
従って、外部の天候に合わせて照射量を変えて化粧することができる。
また、切り替えを（３）、Ｃ１を４７μＦにすると、高輝度白色ＬＥＤ７は、０．１５Ｈｚ（約７秒間隔）でＯＮ／ＯＦＦし、照明効果を確認することができる。上記ＯＮの時の照度は７００〜１０００Ｌｕｘである。
【図面の簡単な説明】
【００２２】
【図１−Ａ】本発明の照明付手鏡を閉じた時の外観図。
【図１−Ｂ】照明付手鏡の背面図。
【図２】本発明の照明付手鏡を開いた時の正面外観図及び照射位置の説明図。
【図３】照明付手鏡の平面図で、外筐を透視した内部説明図。
【図４】ＬＥＤホルダの折り曲げ機構を示す部分拡大平面図。
【図５】図４のロック機構の縦断面及びステータ軸の部分図。
【図６】手鏡本体の背面収納部の説明図。
【図７−Ａ】本発明のＬＥＤホルダの形状が異なる照明付手鏡の外観図。
【図７−Ｂ】照明付手鏡の背面図。
【図８】照明付手鏡を開いた時の正面外観図及び照射位置の説明図。
【図９】本照明付手鏡の照射に関する制御操作部回路のブロック図。
【符号の説明】
【００２３】
１：照明付手鏡
２：鏡面蓋
２’：ホルダ裏面
３：回動部
４：鏡面本体
５：把手
５’：折り曲げ部
６：ＬＥＤホルダ
６’：ホルダのアーム
７：ＬＥＤ
８：照射窓及び拡散板
９：鏡面外縁枠
１０：鏡面
１１：顔面像
１２、１５：顔面像の目尻付近
１３、１６：顔面像の頬付近
１４、１７：顔面像の唇付近
１８：ＬＥＤ取り付け基板
１９：反射鏡
２０：ＬＥＤ収納部
２１：顔面照射方向
２２：ボタン電池
２３：ＬＥＤ駆動・制御操作部
２４：鏡部本体裏蓋
２５：ＬＥＤホルダ開閉方向
２６：ロータ部の抜け止め
２７：回動ロック機構
２８：ステータ軸
２９：バネ押しねじ
３０：押しバネ
３１：ロック用穴
３２：ボールベアリング
３３：ステータ軸固定ねじ棒
３４：ステータ軸支承棒
３５：ねじ穴
３６：電源スイッチ
３７：操作切り替えスイッチ
３８：操作部収納部
【図１−Ａ】
2006175065.tif 000003
【図１−Ｂ】
2006175065.tif 000004
【図２】
2006175065.tif 000005
【図３】
2006175065.tif 000006
【図４】
2006175065.tif 000007
【図５】
2006175065.tif 000008
【図６】
2006175065.tif 000009
【図７−Ａ】
2006175065.tif 000010
【図７−Ｂ】
2006175065.tif 000011
【図８】
2006175065.tif 000012
【図９】
2006175065.tif 000013